(57)【要約】【課題】平面表示ユニットを筐体に取り付ける場合において、平面表示ユニットと筐体間のスペースを極力小さくする。【解決手段】本体（１）と、本体に対して開閉可能な平面ユニット（５）を具備する表示部（２）とからなる携帯型コンピュータであって、表示部は、筐体（４）と、矩形状の平面ユニットとを具備し、平面ユニットの左右両縁面にそれぞれ側部固定金具（１２）がねじにより固定され、側部固定金具がねじにより筐体に固定されると共に、平面ユニットの中央上縁は裏面・表面間を挟み込んで筐体に固定され、側部固定金具は、平面ユニットの左右両縁面に沿った帯状部（１２ａ）と、この帯状部に対して直角に折れ曲がった平坦な基端部（１２ｂ）が一体形成されたＬ字形金具として構成されたことを特徴とする。【選択図】図２
2010192000.tif 000002
【特許請求の範囲】
【請求項１】
本体と、該本体に対して開閉可能な平面ユニットを具備する表示部とからなる携帯型コンピュータであって、
前記表示部は、筐体と、矩形状の平面ユニットとを具備し、該平面ユニットの左右両縁面にそれぞれ、側部固定金具がねじにより固定され、該側部固定金具がねじにより筐体に固定されると共に、平面ユニットの中央上縁は裏面・表面間を挟み込んで該筐体に固定され、
前記側部固定金具は、平面ユニットの左右両縁面にそれぞれ沿って延びる帯状部と、平面ユニットの左右両縁面の下端部を超えた部分にて前記帯状部に対して直角に折れ曲がった平坦な基端部とが一体形成されたＬ字形金具として構成され、
前記側部固定金具はばね性を有する金属材料により構成され、前記側部固定金具の前記基端部と反対側の先端部は、平面ユニットの左右両縁面から離れていて、筐体の内壁面に弾発的に接触していることを特徴とする携帯型コンピュータ。
【請求項２】
前記側部固定金具の帯状部は、平面ユニットの左右両縁面に沿って複数箇所でねじにより該平面ユニットの左右両縁面に固定され、前記基端部は１箇所でねじにより筐体に固定されていることを特徴とする請求項１に記載の携帯型コンピュータ。
【請求項３】
前記側部固定金具はばね性を有する金属材料により構成されていることを特徴とする請求項１又は２に記載の携帯型コンピュータ。
【発明の詳細な説明】
【技術分野】
【０００１】
本発明は平面ユニット構造体、特に表示ユニットを有する情報処理装置、情報処理装置における平面表示ユニットの筐体への取付構造に関する平面ユニット構造体を有する携帯型コンピュータに係わる。
【０００２】
情報処理装置はその小型化・軽量化が要求されているが、特に表示装置あるいは入力装置をも兼ねた平面表示ユニットは、筐体に取付けられた構造において小型化を達成することが要求されている。
【背景技術】
【０００３】
従来、携帯型あるいはノートブックタイプのワードプロセッサやパーソナルコンピュータ等の情報処理装置（以下、コンピュータという）は、キーボード等の入力装置を具備する本体と、この本体に対して開閉可能に構成された表示部とからなるが、表示部としては平面表示ユニットが使用される。この平面表示ユニットは蓋を構成する筐体に固定される。
【０００４】
平面表示ユニットの筐体への固定は、従来、矩形状の平面表示ユニットの４つの隅部においてねじ等の固定手段を用いて固定される構造が一般であった。このような構造であると、蓋を構成している筐体の内側の部分と、矩形状の平面表示ユニットの側面との間に、ねじ等を配置するためのスペースが必要となり、装置の小型化を達成することが困難であった。
【０００５】
また、ノートタイプのコンピュータにおいては、本体に対して表示部を閉じた状態で、極力薄くすることが要求されている。したがって、本体はもとより表示部も極力薄くする必要がある。このことから、平面表示ユニット平面表示ユニットと筐体との間に、厚さ方向のスペースを極力小さくしなければならない。したがって、平面表示ユニットの裏側の筐体との間や平面表示ユニットの上縁面や側縁面と筐体の壁部との間のスペース部分にボルト等の固定部材を配置することは好ましくない。
【発明の概要】
【発明が解決しようとする課題】
【０００６】
情報処理装置はその小型化・軽量化が要求されているが、特に表示装置あるいは入力装置も兼ねた平面表示ユニットは、筐体に取付ける際に小型化を達成することが要求されている。そのため、平面表示ユニットを筐体に取り付ける場合において、平面表示ユニットと筐体間のスペースを極力小さくすることが望まれる。
【課題を解決するための手段】
【０００７】
上記の課題を達成するために、本発明によれば、本体と、該本体に対して開閉可能な平面ユニットを具備する表示部とからなる携帯型コンピュータであって、前記表示部は、筐体と、矩形状の平面ユニットとを具備し、該平面ユニットの左右両縁面にそれぞれ、側部固定金具がねじにより固定され、該側部固定金具がねじにより筐体に固定されると共に、平面ユニットの中央上縁は裏面・表面間を挟み込んで該筐体に固定され、前記側部固定金具は、平面ユニットの左右両縁面にそれぞれ沿って延びる帯状部と、平面ユニットの左右両縁面の下端部を超えた部分にて前記帯状部に対して直角に折れ曲がった平坦な基端部とが一体形成されたＬ字形金具として構成され、前記側部固定金具はばね性を有する金属材料により構成され、前記側部固定金具の前記基端部と反対側の先端部は、平面ユニットの左右両縁面から離れていて、筐体の内壁面に弾発的に接触していることを特徴とする携帯型コンピュータが提供される。本発明によれば、矩形状の平面表示ユニットを、その左右両縁はねじを介して、中央上縁は裏面・表面間を挟み込むことにより筐体に固定する構造とし、且つ側部固定金具の先端部は、平面ユニットの左右両縁面から離れていて、筐体の内壁面に弾発的に接触した構造としたので、平面表示ユニットと筐体との間に、平面表示ユニットを固定するための特別なスペースを必要とせず、したがって装置の小型化を達成することができる。
【０００８】
前記側部固定金具の帯状部は、平面ユニットの左右両縁面に沿って複数箇所でねじにより該平面ユニットの左右両縁面に固定され、前記基端部は１箇所でねじにより筐体に固定されていることを特徴とする。
【０００９】
前記側部固定金具はばね性を有する金属材料により構成されていることを特徴とする。このように、側部固定金具をばね性を有する金属材料により構成したので、平面表示ユニットの側部を筐体に対して弾性的に保持・固定できる。
【発明の効果】
【００１０】
本発明によれば、矩形状の平面表示ユニットを、その左右両縁はねじを介して、中央上縁は裏面・表面間を挟み込むことにより筐体に固定する構造とし、且つ側部固定金具の先端部は、平面ユニットの左右両縁面から離れていて、筐体の内壁面に弾発的に接触した構造としたので、平面表示ユニットと筐体との間に、平面表示ユニットを固定するための特別なスペースを必要とせず、したがって装置の小型化や、軽量化が図れるという効果がある。
【図面の簡単な説明】
【００１１】
【図１】図１は本発明の平面ユニット構造体、特に平面表示ユニットの取付構造を採用した携帯型コンピュータの外観図である。
【図２】図２は本発明の第１の実施形態に係る平面表示ユニットの取付構造を採用した携帯型コンピュータの表示部の分解斜視図である。
【図３】図３は同携帯型コンピュータの表示部の平面図である。
【図４】図４（ａ）、（ｂ）、（ｃ）は、図３に示した表示部のＡ−Ａ、Ｂ−Ｂ、Ｃ−Ｃにおける、拡大断面図である。
【図５】図５は表示部の筐体を形成するバックカバーの斜視図である。
【図６】図６は平面表示ユニットの側部固定用金具の斜視図である。
【図７】図７は平面表示ユニットの上中央部固定用金具の斜視図である。
【図８】図８は上中央部固定用金具をバックカバーに取付けた状態を示す斜視図である。
【図９】図９は上中央部固定用金具により平面表示ユニットを固定した状態を示す斜視図である。
【図１０】図１０はバックカバーの左上部の斜視図である。
【図１１】図１１はバックカバーの左上部の斜視図である。
【図１２】図１２は本発明の第２の実施形態に係る平面表示ユニットの取付構造を採用した携帯型コンピュータの表示部の分解斜視図である。
【図１３】図１３は平面表示ユニット２５の両側にサポート用の金具２７を取り付けた状態を示す斜視図、
【図１４】図１４は図１３のＡ部の拡大斜視図、
【図１５】図１５は図１３のＢ部の拡大斜視図である。
【図１６】図１６はフロントカバー２６の両側にヒンジ３０を取付けた状態を示す斜視図である。
【図１７】図１７は図１６のＣ部の拡大斜視図、
【図１８】図１８は図１６のＤ部の拡大斜視図である。
【図１９】図１９は平面表示ユニットをバックカバーとフロントカバーとの間で挟み込んで固定した状態を示す平面図である。
【図２０】図２０は図１９のＥ−Ｅに沿った拡大断面図、
【図２１】図２１は図１９のＦ−Ｆに沿った拡大断面図、
【図２２】図２２は図１９のＧ−Ｇに沿った拡大断面図、
【図２３】図２３は図１９のＨ−Ｈに沿った拡大断面図ある。
【図２４】図２４は本発明の別の実施の形態で、アーム部分のないヒンジとフロントカバーを示す分解斜視図である。
【発明を実施するための形態】
【００１２】
以下、添付図面を参照して本発明の実施の形態について詳細に説明する。
【００１３】
図１は本発明の平面表示ユニットの取付構造を採用した携帯型コンピュータの外観図である。携帯型コンピュータは詳細には図示しないがキーボードやポインター等を備える本体１と、平面表示ユニットを具備する表示部２からなり、表示部２はヒンジ３により本体１に対して回転可能で本体１に対して開閉できるようになっている。即ち、この携帯型コンピュータの使用時には表示部２は開かれ、非使用時は閉じることが出来る。
【００１４】
次に、図２〜図１１を参照して本発明の第１の実施形態について説明する。
【００１５】
図２は本発明の第１の実施形態を示すもので、携帯型コンピュータの表示部の分解斜視図である。表示部２は筐体を構成するバックカバー４、平面表示ユニット５、フロントカバー６からなる。平面表示ユニット５は後述するように筐体を構成するバックカバー４に取付けられた後、フロントカバー６が平面表示ユニット５の周囲にはめ込まれて形成される。
【００１６】
図３は携帯型コンピュータの表示部の平面図である。バックカバー４、平面表示ユニット５、フロントカバー６を組み立てた状態で示している。図４は図３に示した表示部の各部を示す断面図である。平面表示ユニット５は全体として矩形の平板状で、中央の大部分の領域を占める液晶表示部５ａの周囲が枠部５ｂで囲まれた形態のものである。この枠部５ｂは平面表示ユニット５の固定等のために使用される部分である。
【００１７】
このように、表示部２は、バックカバー４、平面表示ユニット５およびフロントカバー６により構成されるが、本明細書では、図１に示されるように、表示部が本体１に対して開かれている使用状態で表示部２を見て、ヒンジ３側を下部、その反対側を上部、平面表示ユニット５はバックカバー４の側を裏面、フロントカバー６の側を表面と称することとする。
【００１８】
図５は表示部の筐体を形成するバックカバーの斜視図である。バックカバー４はその内側に平面表示ユニット５が取付けられる部材であり、その周囲は、ヒンジの取付けられる下側を除き、左右の側縁の壁部７、８および上縁の壁部９は立ち上がっている。これらの左右の壁部７、８および上部の壁部９の内側の上縁に沿って間隔をおいて複数のつめ部４ｃが一体的に形成されている。また、上部の壁部９の内側には、後述するように平面表示ユニット５との間隔を規制するためのリブ４ａが、また左右両側の壁部７、８にもリブ４ｂが間隔をおいて複数設けられている。図５において、４ｅ、４ｆ、４ｇ、４ｈは後述するねじ穴である。これらのねじ穴はバックカバー４の底壁から盛り上がった部分に形成されている。
【００１９】
このような形状を有するバックカバー４はマクネシウム合金等の材料を用いてダイキャスト等の成形品として形成することができる。
【００２０】
図６は平面表示ユニットの側部固定用金具１２の斜視図である。この側部固定用金具１２は、板金加工された金属板からなり、図２にも示すように、平面表示ユニット５の枠部５ｂの左右両縁面にそれぞれ沿って延びる帯状部１２ａと、平面表示ユニット５の枠部５ｂの左右両縁面の下端部を超えた部分にて帯状部１２ａに対して直角に折れ曲がった平坦な基端部１２ｂとが一体形成されたＬ字形金具として構成されている。そして、帯状部１２ａには平面表示ユニット５の枠部５ｂの左右両縁面に固定するためのねじを通す穴１２ｃが長手方向に沿って複数個設けられ、一方、基端部１２ｂには筐体であるバックカバー４に固定するためのねじを通す穴１２ｄが１個設けられている。帯状部１２ａにはこの側部固定用金具１２自体の重量を軽量化するための開口１２ｅが長手方向に沿って複数個設けられている。
【００２１】
左右２つの対称形の側部固定用金具１２を用いる。これらの金具１２の帯状部１２ａが複数のねじにより平面表示ユニット５の枠部５ｂの左右両縁面にそれぞれ固定され、基端部１２ｂが１つのねじによりバックカバー４のねじ穴部に固定されることにより、平面表示ユニット５の側部が筐体であるバックカバー４に固定される。側部固定金具１２はばね性を有する金属材料により構成されている。
【００２２】
図示の実施形態では、側部固定用金具には図２に示すように液晶表示パネル５の左右両縁面の下側の領域１／３〜１／２程度に延びているが、別の実施形態においては、側部固定金具１２の基端部１２ｂとは反対側の先端部が延長されていて、平面表示ユニット５の枠部５ｂの左右両縁面から離れていて、バックカバー４の内壁面７、８に対して弾発的に接触する構成とすることもできる。
【００２３】
図７は平面表示ユニット５の上中央部固定用金具１３の斜視図である。この上中央固定金具１３は板金加工された金属板からなり、バックカバー４の底面に対して略平行な面を有しかつ平面表示ユニット５の上縁面に平行に延びた基部１３ｄの両端に、この上中央部固定用金具１３をバックカバー４に固定するためのねじ挿入用の２つの穴１３ａが形成されている。
【００２４】
この基部１３ｄから長手方向の線１３ｅに沿って約直角に折れ曲がり、その中央部分にあるフック部１３ｂとねじ挿入用の穴１３ａとの間の部分がさらに約直角に折れ曲がり、基部と略平行になった２つのつめ部１３ｃが形成される。
【００２５】
上中央部固定用金具１３の中央部にはフック部１３ｂが形成されているが、このフック部１３ｂは上中央固定金具１３に形成された開口からなり、開口が携帯型コンピュータの本体１の係止部を規定するつめ状部分１ａ（図１）に係合することにより表示部２が本体に対して固定される。即ち、表示部２が本体１に対して閉じられた時、表示部２にあるこのフック部１３ｂが本体部１にある係止部に係合することにより表示部２が本体１に対して係止される。表示部２を本体１に対して開放しようとする時は、表示部２を本体１に対して回転させることでフック部１３ｂが係止部との係合から外れ、表示部２を本体１に対して開くことができる。
【００２６】
図８は上中央部固定用金具１３をバックカバー４にねじで取付けた状態を示す斜視図であり、図９は上中央部固定用金具１３により平面表示ユニット５の中央上部を固定した状態を示す斜視図である。
【００２７】
バックカバー４には、上中央部固定用金具１３を取り付けた際に、２つのつめ部１３ｃと対向する位置にシート１４を有する。このシート１４はゴムラバー等の弾性体から成る。そして、平面表示ユニット５をバックカバー４に固定する際は、上中央部固定用金具１３をねじによりバックカバー４に取り付け、上中央部固定用金具１３の２つのつめ部１３ｃと２つのシート１４との間で平面表示ユニット５の上中央部を挟むようにして固定する。
【００２８】
図１０および図１１はバックカバー４の左上部および右上部の斜視図である。前述のように、バックカバー４の上端部には立ち上がり壁９の内側に間隔をおいて複数個のリブ４ａが設けられている。このリブ４ａは平面表示ユニット５の上下方向の位置を規制する。また、バックカバー４の左右両縁の立ち上がり壁７、８の内側には間隔をおいて複数個のリブ４ｂが左右側壁７、８と略平行に立ち上がるように形成されている。
【００２９】
次に、平面表示ユニット５を筐体であるバックカバー４に固定し表示部２を組み付ける手順について説明する。
【００３０】
まず、平面表示ユニット５の左右側面に、側面固定用金具１２をねじにより固定する。この際、側面固定用金具１２の複数のねじ穴１２ｃを使用する。また、平面表示ユニット５の左右側面の、側面固定用金具１２よりも上面寄りのリブ４ｂの位置に緩衝部材１５（図２、図４（ｃ））を張り付ける。緩衝部材は、両面接着テープでも良い。
【００３１】
次に、この平面表示ユニット５をバックカバー４にはめ込み、側面固定用金具１２をねじによりバックカバー４の固定する。この際、側面固定用金具１２のねじ用の穴１２ｄを使用するとともに、バックカバー４側のねじ穴４ｅ（図５）を使用する。
【００３２】
さらに、平面表示ユニット５の中央上縁を、上中央固定金具１３により固定する。この際、上中央固定金具１３の両端のねじ用の穴１３ａを使用するとともに、バックカバー４側の２つのねじ穴４ｆ（図４）を使用する。これにより、平面表示ユニット５の中央上縁は、バックカバー４に設けた２つのシート１４と上中央固定金具１３の２つのつめ部１３ｃとの間に挟まれるようにして固定される。
【００３３】
なお、平面表示ユニット５の左右側面の位置は、バックカバーの立ち上がり壁７、８の内側も設けられたリブ４ｂにより規制されるとともに、その間に挟み込んだ緩衝材としての両面接着テープ１５が挟み込まれることとなる。
【００３４】
また、平面表示ユニット５の上面の位置も、バックカバーの上部の立ち上がり壁９の内側も設けリブ４ａにより規制される。このようにして、平面表示ユニット５はその表面・裏面が挟み込まれるようにして保持されかつその位置が規制される。
【００３５】
次に、フロントカバー６が平面表示ユニット５の周囲にはめ込まれる。このフロントカバー６は、適当な樹脂により形成されており、その左右両縁およびその上面側は、バックカバー４の左右両縁の立ち上がり壁７、８および上面の立ち上がり壁９の内側に設けたつめ部４ｃに係合して保持される。このため、フロントカバー６にはつめ部４ｃに対応する位置につめ部４ｃに係合するつめ部６ｂ（図４（ｂ））が形成されている。また、このフロントカバー６の下面は、ヒンジ部材１６を介してバックカバー４に固定される。
【００３６】
即ち、ヒンジ部材１６は２つの穴を有し、一方の穴である外側の穴１６ａを用いてねじによりあらかじめバックカバー４のねじ穴４ｇ（図５）に固定されている。そして、フロントカバー６のねじ固定用の穴６ａを用いて、ヒンジ部材１６の他方の穴１６ｂを通してバックカバー４のねじ穴４ｈにねじ込むことによりヒンジ部材１６と共締めして固定される。
【００３７】
なお、ヒンジ部材１６は、携帯型コンピュータの表示部２が本体１に対して回転する際に、適当な回転トルクを付与し、表示部２を本体１に対してスムーズな回転動作および所定の位置での停止を担保するためのものである。
【００３８】
なお、図２において、絶縁シート１７は平面表示ユニット５のバックライトを点灯させるためのインバータ回路（図示せず）を取付けるのに使用されるものである。
【００３９】
次に図１２〜図２３を参照して、本発明の第２の実施形態について詳細に説明する。
【００４０】
図１２は本発明の第２の実施形態に係る平面表示ユニットの取付構造を採用した携帯型コンピュータの表示部の分解斜視図である。第１実施形態の場合と同様、第２実施形態に係る表示部も、筐体を構成するバックカバー２４、平面表示ユニット２５、フロントカバー２６からなる。
【００４１】
後述するように、平面表示ユニット２５にサポート用の金具２７を取り付け、ヒンジ３０を取り付けたフロントカバー２６とバックカバー２４とで金具２７とクッション材２９、３１を挟んで平面表示ユニット２５を固定する。
【００４２】
図１３は平面表示ユニット２５の両側にサポート用の金具２７を取り付け状態を示す斜視図である。また、図１４は図１３のＡ部の拡大斜視図、図１５は図１３のＢ部の拡大斜視図である。平面表示ユニット２５は、第１実施形態の場合と同様、全体して矩形の平板状で、その両側面の全長に沿って１対のサポート用の金具２７、２７が取り付けられる。
【００４３】
各金具２７、２７は、平面表示ユニット２５の側部の長さに略等しい長さを有し、平面表示ユニット２５の厚さに略等しい幅を有する帯状の板で形成されている。そして、金具２７の両端は平面表示ユニット２５の上下面に沿うような折れ曲がり部２７ａとなっている（図１５）。また、金具２７の幅方向に関して片側の縁は、折れ曲がり部２７ａとは逆の方向へ少しの寸法だけ折れ曲がった折れ曲がり部２７ｂを有する（図１４、図１５）。この折れ曲がり部２７ｂは、金具２７の長さ方向に関しては、中央部分を除く両側の相当の長さに渡って形成されている。
【００４４】
各金具２７は、長さ方向に関してその両端に比較的近い２箇所の位置で平面表示ユニット２５の側面にねじ２８により固定されている。また、ねじ２８による固定位置より更に両外側の２箇所の端の部分には、クッション材２９がそれぞれ貼付されている。このクッション材２９は略矩形板状で、金具２７の幅と略同じ幅を有する。また、金具の折れ曲がり部２７ｂの折れ曲がり寸法より小さい厚さを有する。
【００４５】
図１６はフロントカバー２６の両側にヒンジ３０を取付けた状態を示す斜視図である。また、図１７は図１６のＣ部の拡大斜視図、図１８は図１６のＤ部の拡大斜視図である。フロントカバー２６は矩形で枠状の形態であって、枠の外側は、矩形の平面表示ユニット２５より若干大きい矩形であり、枠の内側は、平面表示ユニット２５より若干小さい矩形となっている。
【００４６】
一方、１対のヒンジ３０、３０はフロントカバー２６の両側に設けられている壁部の内側にそれぞれ取付けられる。両ヒンジ３０、３０は左右対称の形状を有する。各ヒンジ３０は、このコンピュータの表示部を本体部に対して開閉可能にするためのヒンジを構成するヒンジ部３０ａと、このヒンジ部３０ａから延びており且つフロントカバー２６の側部に対応する長さを有するアーム部３０ｂとが一体的に構成されたものである。
【００４７】
ヒンジ３０はアーム部３０ｂの長さ方向に関して間隔をおいた２箇所の位置でねじ３２によりフロントカバー２６の側部の壁部の内側に固定される。このため、フロントカバー２６はその外周に沿って立ち上がり壁を有する。また、ヒンジ３０の基部の付近には、図１７に示すように、平面表示ユニット２５の下面が当接するためのクッション材３１が貼り付けられる。一方、フロントカバー２６の側に、平面表示ユニット２５の上面に当接するクッション材３１が貼り付けられる（図１２）。このクッション材３１は合計４個所設けられ、平面表示ユニット２６の上面及び下面の両サイド付近に当接し、平面表示ユニットを前後方向に関して弾性的に保持する。
【００４８】
図１９は平面表示ユニット２５をバックカバー２４とフロントカバー２６との間で挟み込んで固定した状態を示す平面図である。また、図２０は、図１９のＥ−Ｅに沿った拡大断面図、図２１は図１９のＦ−Ｆに沿った拡大断面図、図２２は図１９のＧ−Ｇに沿った拡大断面図、図２３は図１９のＨ−Ｈに沿った拡大断面図ある。
【００４９】
図２０において、平面表示ユニット２５をバックカバー２４とフロントカバー２６との間で挟み込んで固定した状態にて、平面表示ユニット２５の上面（図１５に示す金具２７の折れ曲がり部２７ａ）とフロントカバー２６の立ち上がり壁部２６ａとの間には、クッション材３１が介在され、一方、平面表示ユニット２５の下面（金具２７の反対側の折れ曲がり部２７ａ）とフロントカバー２６の立ち上がり壁部２６ａとの間にも、同様に、クッション材３１が介在され、これにより、平面表示ユニット２５はその上下方向がクッション材３１を介して保持されることとなる。このクッション材３１は、前述のように、平面表示ユニット２５の上下面の左右端の近傍の２箇所の位置に設けられ、平面表示ユニット２５の上下両側で、合計４箇所の位置に設けられている。
【００５０】
図２１において、平面表示ユニット２５をバックカバー２４とフロントカバー２６との間で挟み込んで固定した状態にて、平面表示ユニット２５の側面（金具２７）とヒンジ３０のアーム部３０ｂとの間にも、クッション材２９が介在される。このクッション材２９は、前述のように、平面表示ユニット２５の側面の上下端の近傍の２箇所の位置に設けられ、平面表示ユニット２５の左右両側で、合計４箇所の位置に設けられている。
【００５１】
平面表示ユニット２５の厚さ方向の固定は、バックカバー２４のリブ２４ａが金具２７の折れ曲がり部２７ｂに当接して、平面表示ユニット２５がフロントカバー２６の側へ押圧されることにより行われる。このリブ２４ａは金具２７の折れ曲がり部２７ｂの長さに対応してバックカバー２４の内側壁に形成されている。なお、バックカバー２４とフロントカバー２６との間の固定は、図１２に示すように、例えば、矩形のフロントカバー２６の４箇所の角部に対応する位置にてねじ３４によりバックカバー２４側へねじ止めすることにより行われる。
【００５２】
図２２において、ヒンジ３０がねじ３２によりフロントカバー２６に取付られている状態が示される。ヒンジ３０は長さ方向に隔てた２箇所の位置で、図示のように、ねじ３２をフロントカバー２６の立ち上がり壁部２６ａの外側から締結することにより固定される。左右１対のヒンジ３０、３０は、対称の形状を有し、フロントカバー２６の両側の立ち上がり壁部２６ａに沿ってその外側に取付けられる。
【００５３】
図２３において、金具２７がねじ２８により平面表示ユニット２５に取付けられている状態が示される。金具２７は前述のように長さ方向に隔てた２箇所の位置で、図示のように、ねじ２８を平面表示ユニット２５の側面に締結される。左右１対の金具２７、２７は同一の形状を有し、平面表示ユニット２５の両側面にそれぞれ固定される。
【００５４】
このように、平面表示ユニット２５をバックカバー２４とフロントカバー２６との間で挟んで固定することにより表示部２（図１）が組み立てられ、ヒンジ３０を携帯型コンピュータの本体部１（図１）に装着することで表示部２が本体部１に結合される。
【００５５】
図２４は、本発明の第２実施形態を変形した別の実施形態で、アーム部分のないヒンジと、フロントカバーを示す。
【００５６】
即ち、前述の第２実施形態では、１対のヒンジ３０、３０のそれぞれは、コンピュータの表示部を本体に対して開閉可能とするためのヒンジを構成するヒンジ部３０ａと、このヒンジ部３０ａから延びており且つフロントカバー２６の側部に対応する長さを有するアーム部３０とが一体的に構成されたものであった。しかしながら、図２４に示すヒンジ３０’は、フロントカバー２６の側部に沿って延びるアーム部分を有しておらず、表示部を本体に対して開閉可能とするための機能をもったヒンジを構成する部分のみからなる。
【００５７】
したがって、図２４に示すヒンジ３０’は、図１２におけるヒンジ３０のアーム部３０ｂをフロントカバー２６の側部に固定するためのねじ３２を必要としない。このヒンジ３０’は一方でコンピュータの本体側（図示せず）に固定され、他方でフロントカバー２６又はバックカバー２４に固定される。この固定方法については、詳細には示していないが、ヒンジ３０’に固定用の孔を設けると共に、フロントカバー２６又はバックカバー２４の側にねじ孔を設け、このねじ孔に、図示しないねじをヒンジ３０’の固定用孔に通してねじ込むことにより固定することができる。
【００５８】
以上添付図面を参照して本発明の実施の形態について説明したが、本発明は上記の実施の形態に限定されるものではなく、本発明の精神ないし範囲内において種々の形態、変形、修正等が可能である。
【産業上の利用可能性】
【００５９】
以上説明したように、本発明では、装置の小型化を達成することができ、またこれにより、平面ユニット構造体の製造原価を下げられるとともに、軽量化も図れるという効果がある。また、本発明では、平面表示ユニットにかかる歪みを吸収、軽減することができる。よって、本発明はあらゆる平面表示ユニットを有する携帯型コンピュータに適用することができる。
【符号の説明】
【００６０】
１    本体
２    表示部
４、２４    バックカバー（筐体）
５、２５    平面表示ユニット
６、２６    フロントカバー
７、８    壁部
１２    側部固定金具
１２ａ    帯状部
１２ｂ    基端部
１３    上中央固定用金具
１４    シート
１５    緩衝部材
１６、３０    ヒンジ
２７    金具
２９、３１    クッション材
【図１】
2010192000.tif 000003
【図２】
2010192000.tif 000004
【図３】
2010192000.tif 000005
【図４】
2010192000.tif 000006
【図５】
2010192000.tif 000007
【図６】
2010192000.tif 000008
【図７】
2010192000.tif 000009
【図８】
2010192000.tif 000010
【図９】
2010192000.tif 000011
【図１０】
2010192000.tif 000012
【図１１】
2010192000.tif 000013
【図１２】
2010192000.tif 000014
【図１３】
2010192000.tif 000015
【図１４】
2010192000.tif 000016
【図１５】
2010192000.tif 000017
【図１６】
2010192000.tif 000018
【図１７】
2010192000.tif 000019
【図１８】
2010192000.tif 000020
【図１９】
2010192000.tif 000021
【図２０】
2010192000.tif 000022
【図２１】
2010192000.tif 000023
【図２２】
2010192000.tif 000024
【図２３】
2010192000.tif 000025
【図２４】
2010192000.tif 000026